【事件の表示】
　平成１１年特許願第２７０９８２号「遊技装置」拒絶査定不服審判事件〔平成１３年　４月１０日出願公開、特開２００１−　９５９７２〕について、次のとおり審決する。
【結　論】
　本件審判の請求は、成り立たない。
【理　由】
１．手続きの経緯・本願発明
　本願は、平成１１年９月２４日の出願であって、平成１４年７月３日付けで拒絶査定がなされ、これに対し、同年８月８日に拒絶査定に対する審判請求がなされ、その後当審において、平成１９年１月２９日付けで拒絶理由が通知され、同年４月９日付けで手続補正がなされたものであり、その請求項１乃至３に係る発明は、平成１９年４月９日付け手続補正書の特許請求の範囲に記載されたとおりものであると認められるところ、その請求項１に係る発明（以下、「本願発明」という。）は、以下のとおりである。
　
「【請求項１】
　所定配列の複数種のシンボルを順次連続的に表示するための３つの表示手段と、その各表示手段における前記連続的表示を順次停止させてシンボルを固定的に表示させるための表示固定手段とを有し、前記各表示手段が固定的に表示したシンボルの種類とその位置が所定の入賞条件を達成することと入賞とが対応するゲームを実行する遊技機であって、
　複数種の賞の全てである内部当り対象賞それぞれについて、内部当り条件を達成したか否かを判定し、内部当り条件を達成した場合は内部当り状態を設定する内部当り設定手段を有し、
　前記表示固定手段は、停止信号から内部当り状態が設定されている賞に対応するシンボルを入賞に必要な位置に固定的に表示させるまでのずれが所定範囲内であることを条件に、そのシンボルを入賞に必要な位置に固定的に表示させると共に、内部当りの対象以外の賞のシンボルがその賞の入賞となる位置に停止しないようにそのシンボルの固定的表示の位置をずらすものであり、
　前記３つの表示手段の１つである中央表示手段によりシンボルが固定的に表示される位置の両側に、残りの２つである両外側表示手段によりそれぞれシンボルが固定的に表示される位置があり、
　前記両外側表示手段が表示するシンボルの配列は同一であり、その両外側表示手段が表示するシンボルには、固定的に表示されることにより単独で入賞条件を達成し得るシンボルが含まれ、中央表示手段が表示するシンボルには単独で入賞条件を達成し得るシンボルが含まれず、
　前記入賞条件として、前記３つの表示手段によりそれぞれ固定的に表示された１つずつの所定シンボルが所定の並び方となったという条件と、前記両外側表示手段の何れかにより単独で入賞条件を達成し得るシンボルが固定的に表示されたという条件を有し、
　前記表示固定手段は、各表示手段により固定的に表示するシンボルの種類と位置を、各表示手段におけるシンボルの配列に基づき制御することができるものであり、
　その各表示手段により固定的に表示するシンボルの種類と位置の制御は、外側表示手段−中央表示手段−外側表示手段の停止順、中央表示手段−外側表示手段−外側表示手段の停止順、及び、外側表示手段−外側表示手段−中央表示手段の停止順の３通りの制御により行うものであり、
　一方の外側表示手段−中央表示手段−他方の外側表示手段の停止順、他方の外側表示手段−中央表示手段−一方の外側表示手段の停止順、中央表示手段−一方の外側表示手段−他方の外側表示手段の停止順、及び、中央表示手段−他方の外側表示手段−一方の外側表示手段の停止順の何れの停止順においても、最後の表示手段の固定的表示において単独で入賞条件を達成し得るシンボルが固定的に表示されて入賞条件を達成することが可能であることを特徴とする遊技装置。」
　
２．引用刊行物記載事項
（１）当審における平成１９年１月２９日付けで通知した拒絶理由に引用された特開平１１−１２８４４０号公報（以下、「引用例１」という。）の記載事項
「【００１３】本発明の遊技機は、図１に停止絵柄表示部が示されているように、複数種類の絵柄が任意に配列される回転体１ａ〜１ｃを、たとえば３個並べてそれぞれ回転させ、その回転体１ａ〜１ｃを順次停止させて、所定の停止ライン（設定によりＬ１またはＬ１〜Ｌ３またはＬ１〜Ｌ５などになる）上に停止するそれぞれの絵柄の組合せに応じて配当をするものにおいて、複数個の回転体の少なくとも２つは、それぞれ同じ配列の絵柄で形成されている。」
　
「【００１５】遊技機の構成は、図３にその主要部のブロック図が示されているように従来と同様の構成で、たとえば第１から第３の回転体１ａ〜１ｃの３個が並列に並べられ、それぞれの回転体１（１ａ〜１ｃ）はモータ制御部４からの信号によりモータ駆動回路５ａ〜５ｃを介してステッピングモータ６ａ〜６ｃの回転、停止により回転したり停止するようになっている。通常のステッピングモータ６ａ〜６ｃの回転や停止は、ゲーム機の正面に設けられるスタートボタン７（回転始動手段）および停止ボタン８または自動的に停止するための乱数発生部９（回転停止手段）により、モータ制御部４に指示を出すことにより行われる。各回転体の始動は通常スタートボタン７により全ての回転体が一斉に回転を始めるが、スタートボタン７により１個の回転体が回転を始め、その回転に応じて次々と他の回転体の回転を始めることもできる。停止の場合は各回転体ごとの停止手段により停止する。そして、各回転体の停止により、所定の停止ライン上に停止している絵柄が停止絵柄検出手段２ａ〜２ｃにより検出され、その組合せが入賞しているか否かの判断が入賞判定部３によりなされ、入賞の場合にはメダル払出し制御部１０により入賞に応じたメダルの払出しが行われる。」
　
「【００２１】本発明によれば、各回転体の絵柄およびその配列を同じにすることができるため、印刷などにより一定配列の絵柄を形成する場合に１種類で済み、非常に安価に製造することができる。しかも、回転体を全て統一できるため、在庫管理や製造工程の管理などにおける部品管理が非常に容易になる。さらに、各遊技機のマイコンのメモリーに絵柄配列の順序を記憶させるのに１種類の記憶をさせればよく、また停止絵柄の検出を簡易化することができるため、コンピュータのプログラム容量を小さくすることができる。
【００２２】以上の例では、回転体が３個の例であったが、４個以上の回転体でも同様である。また、全ての回転体の絵柄配列を同じにしたが、少なくとも２つの回転体で絵柄配列が共通化されれば、その分コストダウンおよびプログラムの簡略化ができ、効果がある。また、６種類の絵柄がそれぞれ１つの回転体で１コマづつに設けられ、他のコマにはＲが設けられたが、従来と同様に７種類の絵柄を数コマづつ設けても、全ての回転体でその配列を共通化することにより、前述のメリットが得られる。さらに、前述の回転体に、たとえばレンガ模様とか格子模様などのベース絵柄を設けておき、その上に前述の６種類の絵柄を１コマづつ分散して設けることにより、その６種類の絵柄の間のコマの絵柄をベース絵柄として利用することができる。この場合でもそのベース絵柄上にＲなどの７番目の絵柄を設けることもできる。また、同じ配列の絵柄が設けられた回転体の少なくとも１つを逆回転させることにより、配列が全然異なるように見えながらマイコンによる検出では配列順序を逆にするだけで済み、前述と同様の効果が得られる。
【００２３】
【発明の効果】本発明によれば、回転体の絵柄の製作自体が簡単になりコストダウンを達成することができると共に、その後の組立工程などにおいても部品管理が容易になり非常にコストダウンを達成することができる。」
　
　上記記載事項及び図面によれば、引用例１には以下の発明（以下、「引用発明」という。）が記載されている。
「複数種類の絵柄が任意に配列される回転体１ａ〜１ｃを有し、それぞれの回転体１（１ａ〜１ｃ）はモータ制御部４からの信号によりモータ駆動回路５ａ〜５ｃを介してステッピングモータ６ａ〜６ｃの停止により停止するようになっており、通常のステッピングモータ６ａ〜６ｃの停止は、停止ボタン８または自動的に停止するための乱数発生部９（回転停止手段）により、モータ制御部４に指示を出すことにより行われ、各回転体ごとの停止手段により停止し、各回転体の停止により、所定の停止ライン上に停止している絵柄が停止絵柄検出手段２ａ〜２ｃにより検出され、その組合せが入賞しているか否かの判断が入賞判定部３によりなされ、入賞の場合にはメダル払出し制御部１０により入賞に応じたメダルの払出しが行われる遊技機であって、
　第１から第３の回転体１ａ〜１ｃの３個が並列に並べられ、
　複数個の回転体の少なくとも２つは、それぞれ同じ配列の絵柄で形成され、プログラムの簡略化ができる遊技機。」
　
（２）当審における平成１９年１月２９日付けで通知した拒絶理由に引用された特開平１１−１８８１３６号公報（以下、「引用例２」という。）の記載事項
「【００５０】また、本実施の形態では、３個の回転リール32のうち単独入賞図柄（特別入賞図柄ではない）を備えた回転リール32には、その単独入賞図柄が表示窓31に表示されるときに、回転リール32のリールイニシャル34が対応するリールセンサ111に検出されることから、単独入賞図柄を備えた回転リール32が最後に定速回転に達した場合には、回転する回転リール32の単独入賞図柄が表示窓31に表示されるたびに、目押し補助手段41の第１の点灯部42が点灯することから、遊技者が単独入賞図柄が表示窓31に停止表示されるように狙って対応するストップスイッチ90を操作することができる。」
　
３．対比
　引用発明の「絵柄」は本願発明の「シンボル」に相当し、以下同様に、「回転体１ａ〜１ｃ」は「表示手段」に、「遊技機」は「遊技装置」にそれぞれ相当する。
　
　また、引用発明は、それぞれの回転体１（１ａ〜１ｃ）はモータ制御部４からの信号によりモータ駆動回路５ａ〜５ｃを介してステッピングモータ６ａ〜６ｃの停止により停止するようになっており、通常のステッピングモータ６ａ〜６ｃの停止は、停止ボタン８または自動的に停止するための乱数発生部９（回転停止手段）により、モータ制御部４に指示を出すことにより行われ、停止の場合は各回転体ごとの停止手段により停止するものであるから、各表示手段における連続的表示を順次停止させてシンボルを固定的に表示させるための表示固定手段とを有し、表示固定手段は、各表示手段により固定的に表示するシンボルの種類と位置を、各表示手段におけるシンボルの配列に基づき制御することができるものであるといえる。
　
　そして、引用発明は、各回転体の停止により、所定の停止ライン上に停止している絵柄が停止絵柄検出手段２ａ〜２ｃにより検出され、その組合せが入賞しているか否かの判断が入賞判定部３によりなされ、入賞の場合にはメダル払出し制御部１０により入賞に応じたメダルの払出しが行われるものであるから、各表示手段が固定的に表示したシンボルの種類とその位置が所定の入賞条件を達成することと入賞とが対応するゲームを実行するものといえる。
　
　さらに、引用発明は、第１から第３の回転体１ａ〜１ｃの３個が並列に並べられるものであるから、３つの表示手段の１つである中央表示手段によりシンボルが固定的に表示される位置の両側に、残りの２つである両外側表示手段によりそれぞれシンボルが固定的に表示される位置があるものといえる。
　
　そのうえ、引用発明は、複数個の回転体の少なくとも２つは、それぞれ同じ配列の絵柄で形成されているから、２つの表示手段が表示するシンボルの配列は同一である点で、本願発明と共通するといえる。
　
　したがって、両者は
「所定配列の複数種のシンボルを順次連続的に表示するための３つの表示手段と、その各表示手段における前記連続的表示を順次停止させてシンボルを固定的に表示させるための表示固定手段とを有し、前記各表示手段が固定的に表示したシンボルの種類とその位置が所定の入賞条件を達成することと入賞とが対応するゲームを実行する遊技機であって、
　前記３つの表示手段の１つである中央表示手段によりシンボルが固定的に表示される位置の両側に、残りの２つである両外側表示手段によりそれぞれシンボルが固定的に表示される位置があり、
　２つの表示手段が表示するシンボルの配列は同一であり、
　表示固定手段は、各表示手段により固定的に表示するシンボルの種類と位置を、各表示手段におけるシンボルの配列に基づき制御することができるものである遊技装置。」
の点で一致し、以下の点で相違する。
　
＜相違点１＞
　本願発明は、
「複数種の賞の全てである内部当り対象賞それぞれについて、内部当り条件を達成したか否かを判定し、内部当り条件を達成した場合は内部当り状態を設定する内部当り設定手段を有し、
　表示固定手段は、停止信号から内部当り状態が設定されている賞に対応するシンボルを入賞に必要な位置に固定的に表示させるまでのずれが所定範囲内であることを条件に、そのシンボルを入賞に必要な位置に固定的に表示させると共に、内部当りの対象以外の賞のシンボルがその賞の入賞となる位置に停止しないようにそのシンボルの固定的表示の位置をずらすもの」
であるのに対して、引用発明は、そのような構成を備えるものか否か明らかでない点。
　
＜相違点２＞
  本願発明は、
「両外側表示手段が表示するシンボルの配列は同一であり、その両外側表示手段が表示するシンボルには、固定的に表示されることにより単独で入賞条件を達成し得るシンボルが含まれ、中央表示手段が表示するシンボルには単独で入賞条件を達成し得るシンボルが含まれず、
　入賞条件として、３つの表示手段によりそれぞれ固定的に表示された１つずつの所定シンボルが所定の並び方となったという条件と、両外側表示手段の何れかにより単独で入賞条件を達成し得るシンボルが固定的に表示されたという条件を有し、
　その各表示手段により固定的に表示するシンボルの種類と位置の制御は、外側表示手段−中央表示手段−外側表示手段の停止順、中央表示手段−外側表示手段−外側表示手段の停止順、及び、外側表示手段−外側表示手段−中央表示手段の停止順の３通りの制御により行うものであり、
　一方の外側表示手段−中央表示手段−他方の外側表示手段の停止順、他方の外側表示手段−中央表示手段−一方の外側表示手段の停止順、中央表示手段−一方の外側表示手段−他方の外側表示手段の停止順、及び、中央表示手段−他方の外側表示手段−一方の外側表示手段の停止順の何れの停止順においても、最後の表示手段の固定的表示において単独で入賞条件を達成し得るシンボルが固定的に表示されて入賞条件を達成することが可能である」
ものであるのに対し、引用発明は、２つの表示手段が表示するシンボルの配列は同一であるものの、両外側とは特定されず、また、単独で入賞条件を達成し得るシンボルを備えるものではない点。
　
４．当審の判断
＜相違点１について＞
　「複数種の賞の全てである内部当り対象賞それぞれについて、内部当り条件を達成したか否かを判定し、内部当り条件を達成した場合は内部当り状態を設定する内部当り設定手段を有し、
　表示固定手段は、停止信号から内部当り状態が設定されている賞に対応するシンボルを入賞に必要な位置に固定的に表示させるまでのずれが所定範囲内であることを条件に、そのシンボルを入賞に必要な位置に固定的に表示させると共に、内部当りの対象以外の賞のシンボルがその賞の入賞となる位置に停止しないようにそのシンボルの固定的表示の位置をずらすもの」
は、スロットマシン等の遊技機の技術分野において、例えば、特開平６−３３５５６０号公報（段落【００７１】乃至段落【００７９】参照。）、及び、特開平７−１１２０５１号公報（段落【００４５】乃至段落【００６０】参照。）に記載されているように周知技術であって、引用発明の停止制御として採用することは当業者が容易になし得るものである。
　
＜相違点２について＞
　引用発明において、シンボルの配列が同一な２つの表示手段として、両外側の表示手段を選択することは当業者が容易になし得るものである。
　また、スロットマシンに係る発明が記載された引用例２の段落【００５０】には、「３個の回転リール32のうち単独入賞図柄（特別入賞図柄ではない）を備えた回転リール32には、……」という記載があり、回転リールを単独入賞図柄を備えた回転リールと単独入賞図柄を備えない回転リールで構成することを示唆するものと認められる。
　そして、引用発明も引用例２に記載された発明も同一技術分野であるスロットマシンに関わるものであるから、引用発明において、シンボルの配列が同一な２つの表示手段として、両外側の表示手段を選択したものに、引用例２に記載された発明を適用して、その両外側の表示手段に単独入賞図柄を含むものとすることは、当業者なら容易になし得るものであり、そのように構成すれば、
「入賞条件として、３つの表示手段によりそれぞれ固定的に表示された１つずつの所定シンボルが所定の並び方となったという条件と、両外側表示手段の何れかにより単独で入賞条件を達成し得るシンボルが固定的に表示されたという条件を有し、
　一方の外側表示手段−中央表示手段−他方の外側表示手段の停止順、他方の外側表示手段−中央表示手段−一方の外側表示手段の停止順、中央表示手段−一方の外側表示手段−他方の外側表示手段の停止順、及び、中央表示手段−他方の外側表示手段−一方の外側表示手段の停止順の何れの停止順においても、最後の表示手段の固定的表示において単独で入賞条件を達成し得るシンボルが固定的に表示されて入賞条件を達成することが可能である」
ものになることになる。
　さらに、引用発明も、２つの表示手段が表示するシンボルの配列は同一であり、プログラムの簡略化ができるものであって、本願発明のように、各表示手段により固定的に表示するシンボルの種類と位置の制御を、外側表示手段−中央表示手段−外側表示手段の停止順、中央表示手段−外側表示手段−外側表示手段の停止順、及び、外側表示手段−外側表示手段−中央表示手段の停止順の３通りの制御により行うことは、プログラムの簡略化に伴う具体化手段における当業者の設計的事項と認められる。
　
　そのうえ、本願発明の作用効果も、引用発明、引用例２に記載された発明、及び、周知技術から当業者が予測できる範囲のものである。
　
５．むすび
　以上のとおり、本願発明は、引用発明、引用例２に記載された発明、及び、周知技術に基づいて、当業者が容易に発明をすることができたものであるから、特許法第２９条第２項の規定により特許を受けることができないものである。
　したがって、本願は、他の請求項について検討するまでもなく拒絶をすべきものである。
　よって、結論のとおり審決する。